(57)【要約】【課題】外部アクセサリーを容易にアクセサリシューに取り付けられる取付部を備える撮像装置を提供すること。【解決手段】外部アクセサリー装着可能なアクセサリーシューと、前記アクセサリーシューに配置され、前記アクセサリーシューに前記外部アクセサリーが装着さられた場合にチャージされる一対のバネ部材を有しており、前記一対のバネ部材のバネ特性の荷重がかかり始める位置を変える。【選択図】図５（ａ）
2016017969.tif 000002
【特許請求の範囲】
【請求項１】
外部アクセサリー（２）を装着可能なアクセサリーシュー（３）と、
前記アクセサリーシュー（３）に配置され、前記アクセサリーシュー（３）に前記外部アクセサリー（２）が装着さられた場合にチャージされる第１のバネ部材（４）であって、
第１のバネ部材（４）は、一対の２つからなる延部（４ａ、４ｂ）を有しており、外部アクセサリー（２）を装着する際に、一対の延部（４ａ、４ｂ）のバネ特性の荷重のピークを一致させないことを特徴とする撮像装置。
【請求項２】
前記第１のバネ部材（４）の延部（４ａ、４ｂ）は、バネ特性の荷重がかかり始める位置を異ならせたことを特徴とする請求項１に記載の撮像装置。
【請求項３】
前記第１のバネ部材（４）の延部（４ａ、４ｂ）は、バネ特性上同じ形状であることを特徴とする請求項１に記載の撮像装置。
【請求項４】
前記アクセサリーシュー（３）に配置され、前記第１のバネ部材（４）がチャージされるときに押し込まれるピン部材（５）で、一対の延部（４ａ、４ｂ）の前記ピン部材（５）が配置されている側の延部（４ａ）のバネ形状を開始する折り曲げの位置が、他方の延部（４ｂ）の折り曲げ位置よりも、外部アクセサリー（２）を装着する進行方向とは逆の位置に配置されていることを特徴とする請求項１に記載の撮像装置。
【発明の詳細な説明】
【技術分野】
【０００１】
本発明は、外部ストロボを装着可能な撮像装置に関するものである。
【背景技術】
【０００２】
従来の外部ストロボを装着可能な撮像装置には、外部ストロボの装着を検出する検出手段として検知レバーを用いたものがある。このような撮像装置は外部ストロボの装着部がアクセサリーシューのガイド溝に挿入されると、外部ストロボの装着部がガタ防止板バネを介してピン部を押し下げ検知レバーの延部が常閉スイッチの接点を開状態にする。こうして、撮像装置は外部ストロボの装着を検出することができる（特許文献１参照）。
【先行技術文献】
【特許文献】
【０００３】
【特許文献１】特開平１０−１８６４７１号公報
【発明の概要】
【発明が解決しようとする課題】
【０００４】
上記特許文献１では、外部ストロボの取り付けガタを抑えるためにガタ防止板バネを備えている。しかし、ガタ防止板バネは、外部ストロボの挿抜方向に平行な軸に対して対象の位置で同形状であるため、外部ストロボを挿抜する際に一対のガタ防止板バネの同じ荷重が同時にかかり、荷重のピークが一致して、外部ストロボの挿抜を重くしており、挿抜を困難にしている。
【０００５】
本発明は、このような点に鑑み、ガタ防止板バネを備えた場合でも、外部ストロボをアクセサリーシューに容易に取り付けることのできる取り付け部を提供することを目的とする。
【課題を解決するための手段】
【０００６】
本発明に係る撮像装置の構成は、外部アクセサリー（２）を装着可能なアクセサリーシュー（３）と、前記アクセサリーシュー（３）に配置され、前記アクセサリーシュー（３）に前記外部アクセサリー（２）が装着さられた場合にチャージされる第１のバネ部材（４）であって、第１のバネ部材（４）は、一対の２つからなる延部（４ａ、４ｂ）を有しており、外部アクセサリー（２）を装着する際に、一対の延部（４ａ、４ｂ）のバネ特性の荷重のピークを一致させないことを特徴とする。
【発明の効果】
【０００７】
本発明によれば、ガタ防止板バネを備えた場合でも、会部ストロボをアクセサリーシューに容易に取り付けることのできる取り付け部を提供することができる。
【図面の簡単な説明】
【０００８】
【図１】本発明の実施例に係わる外部ストロボを装着したカメラの外観斜視図
【図２】外部ストロボを装着するアクセサリーシュー周辺の外観斜視図
【図３】外部ストロボ及び外部ストロボの装着を検出する検出部の内部の斜視図
【図４】図２のピン部でのｙ−ｚ断面図
【図５（ａ）】本発明の第一実施例のガタ防止板バネの詳細図
【図５（ｂ）】本発明の第一実施例のガタ防止板バネの詳細図
【図６（ａ）】本発明の第二実施例のガタ防止板バネの詳細図
【図６（ｂ）】本発明の第二実施例のガタ防止板バネの詳細図
【発明を実施するための形態】
【０００９】
以下、本発明の実施形態について図面を参照して詳細に説明する。
【００１０】
＜第１の実施形態＞
図１は本発明の実施形態である撮像装置のアクセサリーシューに外部ストロボを装着した状態の斜視図であり、図２は外部ストロボを装着可能なアクセサリーシューの外観斜視図である。図３は外部ストロボ及び外部ストロボの装着を検出する検出部の内部の斜視図であり、図４は図２のピン部でのｙ−ｚ断面図を示す。図５は、ガタ防止板バネ４の詳細図である。
【００１１】
１はカメラ本体、３はカメラ本体上部に配置されたアクセサリーシュー、４は外部ストロボ装着時のガタを防止するガタ防止板バネ（第１のバネ部材）、５はアクセサリーシューに貫入されたピン（ピン部材）である。ガタ防止板バネ４には、ｙ方向に付勢力を持つ延部４ａ、４ｂがある。外部ストロボの装着部２ａは、アクセサリーシューの屈曲部３ａとガタ防止板バネの延部４ａの間に挿入され、延部４ａの付勢力でアクセサリーシューの屈曲部３ａに押圧される。また、延部４ａが−ｙ方向へチャージされるとピン５が−ｙ方向に押し込まれる。
【００１２】
６は外装カバー、７はスイッチ板バネＡ（第２のバネ部材）、８はスイッチ板バネＢ（第２のバネ部材）、１０は電気回路を形成したフレキシブル基板である。スイッチ板バネＡ７及びスイッチ板バネＢ８はビス９で外装カバー６に固定される。スイッチ板バネＡの根元部７ａではフレキシブル基板の導体露出部１０ａに半田付けで電気的に接続され、先端部７ｂはｙ方向に付勢力を持ち、ピン５をｙ方向に突出させ、フレキシブル基板の導体露出部Ｄ１０ｂと接触する。すなわち外部ストロボ２が非装着状態では、スイッチ板バネＡ７により、フレキシブル基板の導体露出部１０ａと導体露出部１０ｂが電気的に接続されており、常閉スイッチとして機能している。
【００１３】
外部ストロボ２の装着により−ｙ方向へ押し込まれたピン５によりスイッチ板バネＡ７も−ｙ方向に押されスイッチ板バネＡの先端部７ｂが導体露出部１０ｂと離れる。そのためスイッチ板バネＡ７により導通がとられていた常閉スイッチが開状態となり、外部ストロボ２の装着を検出することができる。
【００１４】
外部ストロボ２が装着された状態で、外部ストロボ２に強い外力が与えられる場合には、ガタ防止板バネの延部４ａが−ｙ方向に塑性変形することがある。また、規格よりも厚い外部ストロボの装着部２ａがアクセサリーシューの屈曲部３ａとガタ防止板バネの延部４ａの間に挿入された場合にも、ガタ防止板バネの延部４ａが−ｙ方向に塑性変形することがある。ガタ防止板バネの延部４ａが−ｙ方向に塑性変形すると、外部ストロボ２が非装着状態でも変形した延部４ａがピン５を−ｙ方向に押し込まれてしまう。
【００１５】
しかしながら、ピン５の移動によりスイッチ板バネＡ７及びスイッチ板バネＢ８が押され、たわんで発生する反力の合計が、同じたわみ量でガタ防止板バネ４に発生する反力よりも強く設定されている。したがって、スイッチ板バネＡ７およびスイッチ板バネＢ８の反力に負けてガタ防止板バネの延部４ａが＋ｙ方向にたわみ、この構成によって、常閉スイッチは常閉状態を保ち、外部ストロボ２は非装着状態であると正しく検出する。
【００１６】
本発明の特徴であるガタ防止板バネ４について、詳細に説明する。図５より、前述のとおり、ガタ防止板バネ４には、一対のｙ方向に付勢力をもった延部４ａ、４ｂがある。延部４ａ、４ｂは基部４ｃの両端から延びており、それぞれ４ｄ、４ｅの折り曲げ開始点からｙ方向にかけて斜面を形成している。折り曲げ部４ｇ、４ｆにて、斜面の傾きを変えて、さらにｙ方向に延部４ａ、４ｂは形成されている。延部４ａ、４ｂの端部には略９０度に折り曲げた端部４ｈ、４ｉを備えている。端部４ｈ、４ｉは、外部ストロボ２を装着した際のＺ方向の付き当て部となっており、外部ストロボ２のストッパーの役割である。
【００１７】
基部４ｃは、中央部を開口しており、外部ストロボ２の接点部と導通するための部品が開口部を覆う構成となっている。折り曲げ開始点４ｄ、４ｅは、Ｚ方向において、位相のずれＡがあり、４ｅが４ｄよりも＋Ｚ方向に折り曲げ開始点が配置されている。同様に、折り曲げ部４ｆ、４ｇは、Ｚ方向において、位相のずれＢがあり、４ｇが４ｆよりも＋Ｚ方向に折り曲げ点が配置されている。延部４ａ、４ｂは折り曲げ開始点４ｄ、４ｅの位置が違うだけであり（光軸に対して非対称形状）、バネ特性上の形状は、同じである（断面形状は、同じである。）。
【００１８】
延部４ａはピン５側の延部であり、折り曲げ位置が延部４ｂより−Ｚ方向に位置していることから、図４よりでみる延部４ａとピン５の隙間を確保しやすくなる。延部４ａは＋Ｙ方向のかけて斜面形状を形成していることから、ピン５の位置が固定の場合、折り曲げ位置を−Ｚ方向にすると、ピン５の直上に位置する延部４ａのＹ方向の位置は高くなる。ゆえに、延部４ａとピン５の隙間を確保しやすくなる。そのことから、外部ストロボ２の装着の検出精度が向上する。
【００１９】
以上、説明したように、延部４ａ、４ｂの折り曲げ開始点４ｄ、４ｅおよび折り曲げ部４ｆ、４ｇがＺ方向の位相でずれており、外部ストロボ２をＺ方向に装着した際に、外部ストロボ２に延部４ａ、４ｂのＹ方向の付勢力が合わさって係る事はなく、それぞれの荷重のピークもずれて係る。外部ストロボ２に延部４ａ、４ｂのＹ方向の付勢力は、装着した方向順に、まず延部４ａの付勢力がかかり、ずれＡ、ずれＢ分の移動がされた後に、延部４ｂの付勢力がかかる。よって、外部ストロボ２に延部４ａ、４ｂの付勢力がＹ方向にかけて同時にかかることはなく、荷重のピークもずれて、延部一つずつの付勢力がかかるため、装着する際の抵抗が減り、装着が容易となる。
【００２０】
＜第２の実施形態＞
本発明の第二の実施例を説明する。なお、第二の実施例は、説明を簡略するため、第一の実施例の相違点のみの説明とし、主にガタ防止板バネの形状の違いのみを説明する。
図６は、第二の実施例のガタ防止板バネ１１である。ガタ防止板バネ１１には、一対のｙ方向に付勢力をもった延部１１ａ、１１ｂがある。延部１１ａ、１１ｂは基部１１ｃの両端から延びており、それぞれ１１ｄ、１１ｅの折り曲げ開始点からｙ方向にかけて緩やかな曲面を形成している。基部１１ｃの延部１１ａ、１１ｂのＺ方向延長線上の端部には略９０度に折り曲げた端部１１ｆ、１１ｇを備えている。端部１１ｆ、１１ｇは、外部ストロボ２を装着した際のＺ方向の付き当て部となっており、外部ストロボ２のストッパーの役割である。基部１１ｃは、中央部を開口しており、外部ストロボ２の接点部と導通するための部品が開口部を覆う構成となっている。
【００２１】
折り曲げ開始点１１ｄ、１１ｅは、Ｚ方向において、位相のずれＣがあり、４ｅが４ｄよりも＋Ｚ方向に折り曲げ開始点が配置されている。延部１１ａ、１１ｂは折り曲げ開始点１１ｄ、１１ｅの位置が違うだけであり（光軸に対して非対称形状）、バネ特性上の形状は、同じである。（断面形状は、同じである。）延部１１ａはピン５側の延部であり、折り曲げ位置が延部１１ｂより−Ｚ方向に位置していることから、延部１１ａとピン５の隙間を確保しやすくなる。延部１１ａは＋Ｙ方向のかけて斜面形状を形成していることから、ピン５の位置が固定の場合、折り曲げ位置を−Ｚ方向にすると、ピン５の直上に位置する延部１１ａのＹ方向の位置は高くなる。ゆえに、延部１１ａとピン５の隙間を確保しやすくなる。そのことから、外部ストロボ２の装着の検出精度が向上する。
【００２２】
以上、説明したように、延部１１ａ、１１ｂの折り曲げ開始点１１ｄ、１１ｅがＺ方向の位相でずれており、外部ストロボ２をＺ方向に装着した際に、外部ストロボ２に延部１１ａ、１１ｂのＹ方向の付勢力が合わさって係る事はなく、それぞれの荷重のピークもずれて係る。外部ストロボ２に延部１１ａ、１１ｂのＹ方向の付勢力は、装着した方向順に、まず延部１１ａの付勢力がかかり、ずれＣ分の移動がされた後に、延部１１ｂの付勢力がかかる。よって、外部ストロボ２に延部１１ａ、１１ｂの付勢力がＹ方向にかけて同時にかかることはなく、荷重のピークもずれて、延部一つずつの付勢力がかかるため、装着する際の抵抗が減り、装着が容易となる。
【符号の説明】
【００２３】
２  外部アクセサリー、３  アクセサリシュー、４  ガタ防止板バネ、４ａ  延部、
４ｂ  延部、５  ピン部材
【図１】
2016017969.tif 000003
【図２】
2016017969.tif 000004
【図３】
2016017969.tif 000005
【図４】
2016017969.tif 000006
【図５（ａ）】
2016017969.tif 000007
【図５（ｂ）】
2016017969.tif 000008
【図６（ａ）】
2016017969.tif 000009
【図６（ｂ）】
2016017969.tif 000010